(57)【特許請求の範囲】
【請求項１】
器具本体と、この器具本体の下端部を載せる万力取付用基部と、前記万力取付用基部を前記器具本体に固定する固定具と、前記万力取付用基部に取付けられる万力とを備え、前記器具本体は本体裏板と略半筒状の本体カバーを組み合わせてなる筒状体であり、その一端を前記下端部とし、前記器具本体および前記万力取付用基部の一方に補強用突起を突設し、他方に前記補強用突起を嵌合する嵌合凹部を形成した電気スタンド。
【請求項２】
前記補強用突起および前記嵌合凹部を電線が貫通可能にした請求項１記載の電気スタンド。
【発明の詳細な説明】
【０００１】
【発明の属する技術分野】
この発明は、電気スタンドに関するものである。
【０００２】
【従来の技術】
従来例を図４および図５に示す。すなわち、１００は器具本体、１０１は万力取付用基部、１１５は回動自在な構成を有するアーム、１１６はランプソケットを有するセード、１１７は電源コード、１１８は机等に取付けるための取付用万力、１２０は器具本体１００内に配設される回路ブロック、１２１はスイッチ釦である。
【０００３】
万力型スタンドにおいては器具本体１００と万力取付用基部１０１を別部品で構成していた。その接合部は、器具本体１００の中央に位置する支持金具１０２の下部の平面と、万力取付用基部１０３の平面を、万力取付用基部１０３に設けられた突出部１０４を位置合わせ用のガイドとしてのみ利用して合わせ、万力取付用基部１０３から支持金具１０２に向かってねじ１０５によりねじ止めする構成であった。
【０００４】
また器具本体１００は支持金具１０２を被覆する本体左成形部品１０６と本体右成形部品１０７の２つの部品により外殻を形成しており、本体左成形部品１０６を支持金具１０２にねじ止めし、本体右成形部品１０７を本体左成形部品１０６へ略爪形状のリブ１０８を利用して引っ掛け、最後に万力取付用基部１０３から本体左右成形部品に向かってねじ止めする構成となっている。
【０００５】
【発明が解決しようとする課題】
従来品の構成では、アーム操作で発生するアーム操作力を支持金具ならびに本体成形品のねじ止め部分でのみ受ける構成となり、さらに器具本体と万力取付用基部の接合面積が小さいことから、アーム操作力に対して接合部での強度が不足する可能性が大きかった。このため、過度のアーム操作力、および器具本体への衝撃力などに対して強度が不足し、アーム操作時の器具本体の左右方向への開き、衝撃力が加わった時の器具本体の破損のおそれが大きかった。
【０００６】
また、従来では図のように万力取付用基部１０３は構造体のみの機能を目的とし、器具本体１００の下部より電源コード１１７を器具外面へ貫通させる方式であった。すなわち、万力取付用基部１０３の強度確保のため万力取付用基部１０３に電源コード１１７を通すための穴を設けず、器具本体１００の下部から器具外部へ電源コード１１７を貫通させているが、電源コード１１７の位置が器具の美観上バランスが悪くなることが避け得なかった。また、万力取付用基部１０３に電源供給用のコンセントを設置する等、電源コード１１７を万力取付用基部１０３に貫通させる必要が発生した場合において、万力取付用基部１０３に電源コード１１７を通すための穴部を設けることが困難であった。
【０００７】
したがって、この発明の目的は、器具本体と万力取付用基部の強固な取付けができ、過度なアーム操作力ならびに器具外殻への衝撃力に対して破損しにくい電気スタンドを提供することである。
【０００８】
【課題を解決するための手段】
請求項１記載の電気スタンドは、器具本体と、この器具本体の下端部を載せる万力取付用基部と、前記万力取付用基部を前記器具本体に固定する固定具と、前記万力取付用基部に取付けられる万力とを備え、前記器具本体は本体裏板と略半筒状の本体カバーを組み合わせてなる筒状体であり、その一端を前記下端部とし、前記器具本体および前記万力取付用基部の一方に補強用突起を突設し、他方に前記補強用突起を嵌合する嵌合凹部を形成したものである。
【０００９】
請求項１記載の電気スタンドによれば、部品点数を増大することなく簡単な構造により器具本体と万力取付用基部との結合強度を確保することができ、過度なアーム操作力ならびに器具外殻への衝撃力に対して破損しにくくすることがてきる。
【００１２】
請求項２記載の電気スタンドは、請求項１において、前記補強用突起および前記嵌合凹部を電線が貫通可能にしたものである。
【００１３】
請求項２記載の電気スタンドによれば、請求項１と同様な効果のほか、器具本体と万力取付用基部の接合面強度を損なうことなく、電線を万力取付用基部に導入することができる。
【００１４】
【発明の実施の形態】
この発明の一実施の形態を図１から図３により説明する。すなわち、この電気スタンドは、器具本体１と、万力取付用基部２と、固定具３と、取付用万力８を有する。
【００１５】
器具本体１は、本体裏板４と略半筒状の本体カバー５を組み合わせてなる筒状体６を実施の形態としている。本体裏板４は縦長の矩形板であり、両側に補強用折曲片１３を形成し、下端部に略Ｌ字形に折曲した底片１０を形成し、底片１０の中央に切欠き部７を形成している。本体カバー５は下端が底片１０に載る取付片を有し切欠き部７より下方に突出する補強用突起１１を有し、補強用突起１１の内部には電線挿通部を形成している。器具本体１の上端部にアーム用開口１２を形成している。底片１０は補強用突起１１以外の本体カバー５の底面の全体を被覆し、器具本体１と万力取付用基部２の接合強度をさらに高める効果を発揮する。折曲片１３が本体カバー５の内側面に嵌合し底片１０が取付片に重なり、連結具としてねじ２８により本体カバー５と本体裏板４が連結されている。本体カバー５の内側面に点灯回路を形成したプリント基板１５が取付けられ、本体裏板４の上端部の内面にコ字形のヒンジ具１６が取付けられ、ヒンジ具１６内にアーム１７の下端に連結したヒンジ１８が挿入されつまみねじ２０により回動可能に固定され、アーム１７が開口１２より延び出している。２２はアーム１７の上方回動を付勢するばね、２３は点灯スイッチ、２４はスイッチ取付具、２５は本体カバー５の前面に形成した穴より引出したスイッチ釦、２６はアーム１７の先端に取付けられ、ランプソケットを設けたセードである。２７は電源コードであり、器具本体１の本体裏板４を貫通して外部に引き出されている。
【００１６】
万力取付用基部２は、器具本体１の下端部を載せるとともに補強用突起１１を嵌合する嵌合凹部３０を形成している。実施の形態はプラスチック製であり、器具本体１の下端部の外周形状に合わせて周壁３１を形成している。また嵌合凹部３０に突起１１の電線挿通部に連通する電線挿通孔３２を形成している。基部２内には後部位置に下向きに開口する軸受け凹部３３を有し前部にコンセント収納部３４を有しコンセント収納部３４にコンセント３５を収納している。コンセント３５はコンセント取付具３６にねじ３７により取付けられコンセント取付具３６をコンセント収納部３４内にねじで固定し、差し込み口４１を万力取付用基部２の前面に形成した開口３４ａより露出している。コンセント３５はリード線３８により器具本体１から補強用突起１１および嵌合凹部３０を通して引き込まれたリード線３９と接続部４０により接続されている。４１は軸受け凹部３３に対応して切欠き４２を形成した底板である。
【００１７】
固定具３は、万力取付用基部２を器具本体１に固定するもので、例えばねじを用いている。連結具のねじ２８の一部を固定具３と共用することもできる。器具本体１の下端の補強用突起１１よりリード線３９を電線挿通孔３２に通し、補強用突起１１を嵌合凹部３０に嵌合しながら、器具本体１を万力取付用基部２の上端の周壁３１の内側に嵌め、固定具３により固定し、これにより器具本体１に万力取付用基部２が取付けられる。
【００１８】
取付用万力８は、万力取付用基部２に取付けられるもので、実施の形態では、略コ字形の本体４５と、上片４５ａに取付けられた軸部４６と、下片４５ｂに螺通されたハンドル付き締付けねじ部４７からなっている。ねじ部４７の先端の締付け部４７ａと上片４５ａとの間を机の端縁に挿入しハンドルを回してねじ部４７の締付け部４７ａで机を締付けて机に固定する。軸部４６に万力取付用基部２の軸受け凹部３３を回転自在に嵌合すると、器具本体１が机に回動自在に取付けられたこととなる。
【００１９】
この実施の形態によれば、部品点数を増大することなく簡単な構造により強度を確保することができる。
【００２０】
本体カバー５と本体裏板４との組み合わせで器具本体１を形成するため、従来例と比較して器具本体の組み立てが爪嵌合ではないので組み立てが容易になる。
【００２１】
また器具本体１と万力取付用基部２の接合面強度を損なうことなく、器具本体１から万力取付用基部２に電線を貫通させることができる。
【００２２】
電源コード２７を万力取付用基部２より引出すこともでき、器具外面へ貫通させる位置を自由に選べることにより、外観の美観性を向上させることができる。
【００２３】
また万力取付用基部２の上端部の周縁に周壁３１を有し器具本体１の下端部をその内側に嵌合することにより、接合面強度をさらに向上することができる。
【００２４】
器具本体１の本体カバー５と本体裏板４とをアーム１７の操作方向（前後方向）と平行に組み合わせ、ねじ止めすることで器具本体１の開きをより確実に防止できる。
【００２５】
なお、実施の形態では万力取付用基部２に電源供給用のコンセント３５が内蔵されていが、これに限定されない。またアーム１７は１本であったがこれに限定されず、従来例のように２本などであってもよい。さらに電源コード２７の貫通部を器具本体１に設けているが、万力取付用基部２から電源コードを貫通させてもよい。また補強用突起１１を器具本体１側に設けたが万力取付用基部２側に設け、嵌合凹部３０を器具本体１に設けてもよい。
【００２６】
【発明の効果】
請求項１記載の電気スタンドによれば、部品点数を増大することなく簡単な構造により器具本体と万力取付用基部との結合強度を確保することができ、過度なアーム操作力ならびに器具外殻への衝撃力に対して破損しにくくすることがてきる。
【００２８】
請求項２記載の電気スタンドによれば、請求項１と同様な効果のほか、器具本体と万力取付用基部の接合面強度を損なうことなく、電線を万力取付用基部に導入することができる。
【図面の簡単な説明】
【図１】この発明の一実施の形態の要部分解斜視図である。
【図２】外観斜視図である。
【図３】その部分分解斜視図である。
【図４】従来例の側面図である。
【図５】その部分分解斜視図である。
【符号の説明】
１    器具本体
２    万力取付用基部
３    固定具
４    本体裏板
５    本体カバー
８    取付用万力
１１    補強用突起
３０    嵌合凹部
３１    周壁
３８    電線
３９    電線
【図１】
0004385515.tif 000002
【図２】
0004385515.tif 000003
【図３】
0004385515.tif 000004
【図４】
0004385515.tif 000005
【図５】
0004385515.tif 000006